(57)【要約】【課題】送信パケットの衝突発生を防ぐ無線ＬＡＮシステムおよびその通信制御方法ならびに端末局を提供する。【解決手段】無線基地局ＢＳおよび端末局Ｔからデータパケットの送信時刻を予約するスケジュールパケットＳＰを送信し、無線基地局ＢＳおよび端末局Ｔは、その予約時刻に基づき、新たに自分が送信するデータパケットが他の端末局が送信するデータパケットと衝突しない送信予約時刻を設定し、その設定した送信予約時刻に基づきデータパケットを送信して、各局から送信したデータパケットが衝突するのを防ぐ。【選択図】  図１
2004343407.tif 000002
【特許請求の範囲】
【請求項１】
無線基地局と複数の端末局とを有し、前記端末局と前記無線基地局との間、または前記端末局の間で無線通信する無線ＬＡＮシステムにおいて、前記端末局は、
自局以外の他の端末局、または前記無線基地局が無線送信中でないことを確認した時、自局から送信しようとするデータパケットの第１の送信時刻情報を含んだ第１のスケジュールパケットを生成して前記無線基地局、および前記他の端末局に送信する手段と、
前記無線基地局、または前記他の端末局から前記第１のスケジュールパケットを受信した時、その第１のスケジュールパケットを内部メモリに記憶する手段と、
前記第１のスケジュールパケットの前記送信時刻情報から、自局から送信しようとするデータパケットが前記無線基地局、または前記他の端末局から送信されようとするデータパケットと衝突しない第２の送信時刻情報を推算する手段と、
前記第１のスケジュールパケットと前記第２の送信時刻情報を含んだ第２のスケジュールパケットを合成して前記無線基地局、および前記他の端末局に送信する手段と
を具備することを特徴とする無線ＬＡＮシステム。
【請求項２】
無線基地局と複数の端末局とを有し、前記端末局と前記無線基地局との間、または前記端末局の間で無線通信する無線ＬＡＮシステムにおいて、前記無線基地局は、
前記端末局が無線送信中でないことを確認した時、自局から送信しようとするデータパケットの第１の送信時刻情報を含んだ第１のスケジュールパケットを生成して前記端末局に送信する手段と、
前記端末局から前記第１のスケジュールパケットを受信した時、その第１のスケジュールパケットを内部メモリに記憶する手段と、
前記第１のスケジュールパケットの前記送信時刻情報から、自局から送信しようとするデータパケットが前記端末局から送信されようとするデータパケットと衝突しない第２の送信時刻情報を推算する手段と、
前記第１のスケジュールパケットと前記第２の送信時刻情報を含んだ第２のスケジュールパケットを合成して前記端末局に送信する手段と
を具備することを特徴とする無線ＬＡＮシステム。
【請求項３】
前記各局は時計手段を有し、前記時計手段が前記第１又は第２の送信時刻情報が示す時刻になった時、前記データパケットを送信することを特徴とする請求項１、または請求項２に記載の無線ＬＡＮシステム。
【請求項４】
前記時計手段は、
前記無線基地局、および前記端末局に無線通信手段により送信される同一の時刻情報に同期して動作する時計装置であることを特徴とする請求項３に記載の無線ＬＡＮシステム。
【請求項５】
前記推算手段は、前記第１の送信時刻情報を元に前記他の端末局、または前記無線基地局から無線送信されようとする前記データパケットの伝送速度とデータ量から求めた第１のデータ送信時間に基づき前記第２の送信時刻情報を推算することを特徴とする請求項１、または請求項２に記載の無線ＬＡＮシステム。
【請求項６】
無線基地局と、この無線基地局との間で無線通信する少なくとも２つの端末局と具備する無線ＬＡＮシステムにおいて、
第１の端末局は、自局から送信しようとする第１のデータパケットの第１の送信時刻情報を含んだ第１のスケジュールパケットを生成して前記無線基地局に送信する手段と、
第２の端末局は、自局から送信しようとする第２のデータパケットの第２の送信時刻情報を含んだ第２のスケジュールパケットを生成して前記無線基地局に送信する手段と、
前記無線基地局は、
前記第１および第２の端末局からの前記第１および第２のスケジュールパケットを内部メモリに記憶する手段と、
前記第１のスケジュールパケットの前記第１の送信時刻情報と前記第２のスケジュールパケットの前記第２の送信時刻情報から、前記第１のデータパケットと前記第２のデータパケットとが衝突しない第３の送信時刻情報を推算する手段と、
前記第１のスケジュールパケットと前記第３の送信時刻情報を含んだ第２のスケジュールパケットを合成して前記第１および第２の端末局へ送信する手段と
を具備することを特徴とする無線ＬＡＮシステム。
【請求項７】
前記推算手段は、前記第１および第２の送信時刻情報を元に、前記第１の端末局から無線送信されようとする前記第１のデータパケットの伝送速度とデータ量から求めた第１のデータ送信時間と、前記第２の端末局から無線送信しようとする前記第２のデータパケットの伝送速度とデータ量から求めた第２のデータ送信時間とに基づき前記第３の送信時刻情報を推算することを特徴とする請求項６に記載の無線ＬＡＮシステム。
【請求項８】
無線基地局と複数の端末局とを有し、前記端末局と前記無線基地局との間、または前記端末局の間で無線通信する無線ＬＡＮシステムの通信制御方法であって、
前記端末局は、
自局以外の他の端末局、または前記無線基地局が無線送信中でないことを確認した時、自局から送信しようとするデータパケットの第１の送信時刻情報を含んだ第１のスケジュールパケットを生成して前記無線基地局、および前記他の端末局に送信し、
前記無線基地局、または前記他の端末局から前記第１のスケジュールパケットを受信した時、その第１のスケジュールパケットを内部メモリに記憶し、
前記第１のスケジュールパケットの前記送信時刻情報から、自局から送信しようとするデータパケットが前記無線基地局、または前記他の端末局から送信されようとするデータパケットと衝突しない第２の送信時刻情報を推算し、
前記第１のスケジュールパケットと前記第２の送信時刻情報を含んだ第２のスケジュールパケットを合成して前記無線基地局、および前記他の端末局に送信することを特徴とする無線ＬＡＮシステムの通信制御方法。
【請求項９】
無線基地局と、複数の端末局とを有し、前記端末局と前記無線基地局との間、または前記端末局の間で無線通信する無線ＬＡＮシステムの通信制御方法であって、
前記無線基地局は、
前記端末局が無線送信中でないことを確認した時、自局から送信しようとするデータパケットの第１の送信時刻情報を含んだ第１のスケジュールパケットを生成して前記端末局に送信し、
前記端末局から前記第１のスケジュールパケットを受信した時、その第１のスケジュールパケットを内部メモリに記憶し、
前記第１のスケジュールパケットの前記送信時刻情報から、自局から送信しようとするデータパケットが前記端末局から送信されようとするデータパケットと衝突しない第２の送信時刻情報を推算し、
前記第１のスケジュールパケットと前記第２の送信時刻情報を含んだ第２のスケジュールパケットを合成して前記端末局に送信する
ことを特徴とする無線ＬＡＮシステムの通信制御方法。
【請求項１０】
前記無線基地局および前記各端末局は時計手段を有し、
前記時計手段を参照して前記第１又は第２の送信時刻情報が示す時刻になった時、前記データパケットを送信することを特徴とする請求項８、または請求項９に記載の無線ＬＡＮシステムの通信制御方法。
【請求項１１】
前記第２の送信時刻情報は、前記第１の送信時刻情報を元に前記他の端末局、または前記無線基地局から無線送信されようとする前記データパケットの伝送速度とデータ量から求めた第１のデータ送信時間と、前記自局から無線送信しようとする前記データパケットの伝送速度とデータ量から求めた第２のデータ送信時間とに基づき推算されることを特徴とする請求項８、または請求項９に記載の無線ＬＡＮシステムの通信制御方法。
【請求項１２】
無線基地局と、この無線基地局との間で無線通信する少なくとも２つの端末局と具備する無線ＬＡＮシステムにおいて、
第１の端末局は、自局から送信しようとする第１のデータパケットの第１の送信時刻情報を含んだ第１のスケジュールパケットを生成して前記無線基地局に送信し、
第２の端末局は、自局から送信しようとする第２のデータパケットの第２の送信時刻情報を含んだ第２のスケジュールパケットを生成して前記無線基地局に送信し、
前記無線基地局は、
前記第１および第２の端末局からの前記第１および第２のスケジュールパケットを内部メモリに記憶し、
前記第１のスケジュールパケットの前記第１の送信時刻情報と前記第２のスケジュールパケットの前記第２の送信時刻情報から、前記第１のデータパケットと前記第２のデータパケットとが衝突しない第３の送信時刻情報を推算し、
前記第１のスケジュールパケットと前記第３の送信時刻情報を含んだ第２のスケジュールパケットを合成して前記第１および第２の端末局へ送信する
ことを特徴とする無線ＬＡＮシステムの通信制御方法。
【請求項１３】
前記第３の送信時刻情報は、前記第１および第２の送信時刻情報を元に、前記第１の端末局から無線送信されようとする前記第１のデータパケットの伝送速度とデータ量から第１のデータ送信時間から求めた第１のデータ送信時間と、前記第２の端末局から無線送信しようとする前記第２のデータパケットの伝送速度とデータ量から求めた第２のデータ送信時間とに基づき推算されることを特徴とする請求項１２に記載の無線ＬＡＮシステムの通信制御方法。
【発明の詳細な説明】
【０００１】
【発明の属する技術分野】
本発明は、無線ＬＡＮシステムおよびその通信制御方法に関する。
【０００２】
【従来の技術】
無線ＬＡＮを利用したシステムの一つに、無線ＬＡＮの端末局にテレビカメラを接続し、このテレビカメラで撮影した映像情報をパケットにしてその端末局から無線ＬＡＮ無線基地局を介して監視装置等に接続したモニタ装置でその映像情報を監視するものがある。
【０００３】
この様な映像情報を伝送する無線ＬＡＮシステムは、映像信号伝送用の同軸ケーブル敷設が不要であるため、テレビカメラの設置場所が自由に設定でき、監視用のテレビカメラの設置が困難な、例えば、河川などの映像情報を伝送するのに便利である。
【０００４】
ところで、無線ＬＡＮシステムで採用されるＩＥＥＥ８０２．１１方式のＣＳＭＡ／ＣＡ（Ｃａｒｒｉｅｒ  Ｓｅｎｃｅ  Ｍｕｌｔｉｐｌｅ  Ａｃｃｅｓｓ／Ｃｏｌｌｉｓｉｏｎ  Ａｖｏｉｄａｎｃｅ）と呼ばれるランダムアクセス方式は、端末局の数が増加しても通信制御上端末局の構成数に関わるデータの設定が容易にできる利点があるが、その一方、複数の端末局から無線基地局や他の端末局に送信したパケット信号が衝突する可能性がある。
【０００５】
そのため、無線基地局側（もしくはパケット信号を受信している端末局）では、正しく受信された無線パケット信号に対し受信応答を端末局に返送し、所定の時間内に受信応答を受け取れなかった端末局はパケット信号を再送する。
【０００６】
しかし、再送を行っても再送制御により受信したパケットの遅延時間が揺らぐために、動画伝送では遅延時間の揺らぎが発生すると画像が乱れて正常に画像の再生が行えない等の問題があった。
【０００７】
一方、無線ＬＡＮシステムでは、伝送帯域に制限が有り、伝送効率を確保するため、映像信号のようなストリーム信号やリアルタイム性が必要な信号の伝送には、同報通信に使われる再送を行わない伝送方式のＵＤＰ（Ｕｓｅｒ  Ｄａｔａｇｒａｍ  Ｐｒｏｔｏｃｏｌ）を採用することが多い。
【０００８】
このＵＤＰでは、先に述べたように無線パケット信号の衝突が発生すると、そのパケットは廃棄されるため、その映像信号は雑音が発生するか、もしくは見にくくなることがある。したがって、映像信号のようなストリーム信号やリアルタイム性が必要な信号を伝送する場合、特に、複数の端末局が存在する場合には、それらの端末局からの送信パケットの衝突を防ぐための通信制御を行うことが重要となる。
【０００９】
無線通信では、パケット衝突の発生を防ぐために、ＴＤＭＡ（時分割多重）プリアサインなどの方法がとられる。例えば、無線基地局から各端末局との間の通信に、あらかじめ定められたタイムスロットを設けて、無線基地局から各端末局に空きのタイムスロットを指定する。そして、各端末局はこの指定されたタイムスロットに無線パケット信号を送信する方法がある（例えば、特許文献１参照。）。
【００１０】
しかし、無線ＬＡＮでは、このようなタイムスロットの設定タイミングを確実にするための共通クロックをケーブルや無線信号で別途供給することは、困難である。また、タイムスロットを予め設けた方式は、スロット監視が複雑になりアクセス量の変化に対する柔軟系に欠けるとともに、データ通信の場合にはパケット長の可変サイズに対応してスロット長を調整できないため効率が低下する問題があった。
【００１１】
無線通信によるランダムアクセス方式では、端末局にタイムスロット予約を行う、予約ＡＬＯＨＡ方式が知られている。しかし、この方式は、各端末局は、他局から受信したパケットに従属して同期を取り自局の送信タイミングを設定するため、無線ＬＡＮで高速のリアルタイムのデータを送信するには、同期確立等の処理時間がかかる、タイミングが不確定になる、全体動作が不安定になりやすい等の問題があった。
【００１２】
【特許文献１】特開平１０−２０９９５６号公報  （第６頁、第２図）
【００１３】
【発明が解決しようとする課題】
従来の無線ＬＡＮシステムでは、パケット衝突を防ぐためのＴＤＭＡ方式のような予約タイムスロットの設定タイミングを確実にする共通クロックを供給することは困難であり、また、ランダムアクセス方式のまま、端末局にタイムスロット予約を行う方式では処理時間を要するので、高速データの伝送には不向きである等の問題があった。
【００１４】
本発明は、この問題点を解決するもので、通信中の無線パケット信号の衝突発生を防ぎ、高速のリアルタイムデータ伝送が可能な無線ＬＡＮシステムおよびその通信制御方法を提供することを目的とする。
【００１５】
【課題を解決するための手段】
上記目的を達成するために、無線ＬＡＮシステムは、無線基地局と複数の端末局とを有し、前記端末局と前記無線基地局との間、または、前記端末局の間で無線通信する無線ＬＡＮシステムにおいて、前記端末局は、自局以外の他の端末局、または前記無線基地局が無線送信中でないことを確認した時、自局から送信しようとするデータパケットの第１の送信時刻情報を含んだ第１のスケジュールパケットを生成して前記無線基地局、および前記他の端末局に送信する手段と、前記無線基地局、または前記他の端末局から前記第１のスケジュールパケットを受信した時、その第１のスケジュールパケットを内部メモリに記憶する手段と、前記第１のスケジュールパケットの前記送信時刻情報から、自局から送信しようとするデータパケットが前記無線基地局、または前記他の端末局から送信されようとするデータパケットと衝突しない第２の送信時刻情報を推算する手段と、前記第１のスケジュールパケットと前記第２の送信時刻情報を含んだ第２のスケジュールパケットを合成して前記無線基地局、および前記他の端末局に送信する手段とを具備することを特徴とする無線ＬＡＮシステム。
【００１６】
また、本発明の無線ＬＡＮシステムは、無線基地局と複数の端末局とを有し、前記端末局と前記無線基地局との間、または前記端末局の間で無線通信する無線ＬＡＮシステムにおいて、前記無線基地局は、前記端末局が無線送信中でないことを確認した時、自局から送信しようとするデータパケットの第１の送信時刻情報を含んだ第１のスケジュールパケットを生成して前記端末局に送信する手段と、前記端末局から前記第１のスケジュールパケットを受信した時、その第１のスケジュールパケットを内部メモリに記憶する手段と、前記第１のスケジュールパケットの前記送信時刻情報から、自局から送信しようとするデータパケットが前記端末局から送信されようとするデータパケットと衝突しない第２の送信時刻情報を推算する手段と、前記第１のスケジュールパケットと前記第２の送信時刻情報を含んだ第２のスケジュールパケットを合成して前記端末局に送信する手段とを具備することを特徴とする。
【００１７】
そして、また、本発明の無線ＬＡＮシステムの通信制御方法は、無線基地局と複数の端末局とを有し、前記端末局と前記無線基地局との間、または、前記端末局の間で無線通信する無線ＬＡＮシステムの通信制御方法であって、前記端末局は、自局以外の他の端末局、または前記無線基地局が無線送信中でないことを確認した時、自局から送信しようとするデータパケットの第１の送信時刻情報を含んだ第１のスケジュールパケットを生成して前記無線基地局、および前記他の端末局に送信し、前記無線基地局、または前記他の端末局から前記第１のスケジュールパケットを受信した時、その第１のスケジュールパケットを内部メモリに記憶し、前記第１のスケジュールパケットの前記送信時刻情報から、自局から送信しようとするデータパケットが前記無線基地局、または前記他の端末局から送信されようとするデータパケットと衝突しない第２の送信時刻情報を推算し、前記第１のスケジュールパケットと前記第２の送信時刻情報を含んだ第２のスケジュールパケットを合成して前記無線基地局、および前記他の端末局に送信することを特徴とする。
【００１８】
更にまた、本発明の無線ＬＡＮシステムの通信制御方法は、無線基地局と複数の端末局とを有し、前記端末局と前記無線基地局との間、または前記端末局の間で無線通信する無線ＬＡＮシステムの通信制御方法であって、前記無線基地局は、前記端末局が無線送信中でないことを確認した時、自局から送信しようとするデータパケットの第１の送信時刻情報を含んだ第１のスケジュールパケットを生成して前記端末局に送信し、前記端末局から前記第１のスケジュールパケットを受信した時、その第１のスケジュールパケットを内部メモリに記憶し、前記第１のスケジュールパケットの前記送信時刻情報から、自局から送信しようとするデータパケットが前記端末局から送信されようとするデータパケットと衝突しない第２の送信時刻情報を推算し、前記第１のスケジュールパケットと前記第２の送信時刻情報を含んだ第２のスケジュールパケットを合成して前記端末局に送信することを特徴とする。
【００１９】
【発明の実施の形態】
以下、図面を参照して本発明の実施の形態を説明する。
【００２０】
図１は、本発明に係る無線ＬＡＮシステムの実施形態の構成を示すブロック図である。
【００２１】
図１において、無線ＬＡＮシステムは、無線基地局ＢＳ、複数の端末局Ｔ（＃１〜＃ｎ）、無線基地局ＢＳとそのアンテナ２、および複数の端末局Ｔ（＃１〜＃ｎ）に接続される時計Ｈから構成される。無線基地局ＢＳは、ネットワークＮＴ（ＬＡＮ，バックボーン回線等）に接続されるとともに、アンテナ２によって端末局Ｔ（＃１〜＃ｎ）との間でパケット信号をランダムアクセス手順により送受信している。
【００２２】
端末局Ｔ（この例では、＃１および＃２）には、監視カメラＣ１、Ｃ２が接続されている。そして、無線基地局ＢＳが接続されるネットワークＮＴには、監視カメラＣ１の映像信号を受信しているテレビモニタＭ１と、監視カメラＣ２の映像信号を受信しているテレビモニタＭ２が設けられている。また、端末局Ｔ（この例では、＃ｎ）には、パーソナルコンピュータのような情報端末が接続され、無線基地局ＢＳを介して上位のネットワークや無線ＬＡＮに接続された情報端末との間で情報を送受信している。
【００２３】
端末局Ｔ（＃１、＃２）が、監視カメラＣ１、Ｃ２から得られた映像情報を搭載したデータパケット信号を無線基地局ＢＳへ送信する際、予め送信時刻を設定するパケット（以下、スケジュールパケットと総称する。）を端末局Ｔ（＃１、＃２）、および無線基地局ＢＳとの間で送受信して、その送信時刻情報が無線ＬＡＮ上の各端末局Ｔに通知されるように制御される。そして、その送信時刻情報を受信した各端末局Ｔは、時計Ｈの時刻を参照して、自装置から送信するメッセージやデータのパケット（以下、データパケットと呼ぶ。）信号の送信時刻をずらして送信することにより、無線ＬＡＮ上でデータパケット信号の衝突が発生しない無線ＬＡＮ通信を行うものである。
【００２４】
図２は、無線基地局ＢＳの機能構成を示すブロック図、図３は、端末局Ｔの機能構成を示すブロック図である。
【００２５】
図２において、無線基地局ＢＳは、キャリア検出部１、アンテナ２、ＲＦ処理部３、通信制御部４、ＭＡＣ処理部５、通信管理テーブル６、ネットワークインタフェース７および時計Ｈから構成される。
【００２６】
無線基地局ＢＳは、端末局Ｔ（＃１〜＃ｎ）との間で、アンテナ２を介して無線信号を送受信する。その無線信号は、ＲＦ処理部３によりベースバンド信号が所定の周波数と変調速度で変復調される。キャリア検出部１は、ＲＦ処理部３の受信信号を監視し、端末局Ｔ（＃１〜＃ｎ）のキャリア検出によって無線信号の送信中か否かを監視し、その状態を通信制御部４に出力する。
【００２７】
通信制御部４は、キャリア検出部１、ＲＦ処理部３、およびＭＡＣ処理部５からの信号を監視し、キャリア検出部１が端末局Ｔ（＃１〜＃ｎ）からのキャリヤを受信していないときにＲＦ処理部３からのパケット信号をアンテナ２を介して端末局Ｔ（＃１〜＃ｎ）へ送信するように制御する。
【００２８】
また、通信制御部４は、ＭＡＣ処理部５の動作を監視、制御することによって、ネットワークインタフェース７を介して上位のネットワークＮＴとの間でデータパケット信号を送受信する。
【００２９】
さらに、通信制御部４は、スケジュールパケットからＭＡＣ処理部５が抽出するデータフレーム信号を監視し、そこに設定されている端末局Ｔ（＃１〜＃ｎ）が送信した予約情報（送信予約時刻）を通信管理テーブル６に記憶する。そして、無線基地局ＢＳが端末局Ｔ（＃１〜＃ｎ）との間で通信を行う時には、端末局Ｔ（＃１〜＃ｎ）からのキャリアを受信していないことを確認し、時計Ｈを参照して通信管理テーブル６に記憶された端末局Ｔ（＃１〜＃ｎ）のパケット信号の送信タイミングと衝突しないタイミングで無線パケット信号を送信するよう制御する。
【００３０】
時計Ｈは、端末局Ｔ（＃１、＃２）との間で送受信するパケット信号が衝突をしないよう、送信タイミングを参照するための時刻を高精度で提供する。
【００３１】
この時計Ｈは、各端末局Ｔ（＃１、＃２）、および無線基地局ＢＳとの送信タイミング設定に必要な同期精度と分解能を有するものであれば、無線基地局ＢＳが内蔵するものであっても、外部から端末局Ｔ（＃１〜＃ｎ）の時計Ｈと共通した時刻信号が供給されるものであってもよい。
【００３２】
例えば、時計Ｈとして、端末局Ｔの時計Ｈと共通になるよう、ＧＰＳ衛星が送信する高精度の時刻情報を利用すれば、無線基地局ＢＳと各端末局Ｔの時刻については、共通の時刻情報で同期して動作するので一致精度１マイクロ秒が低コストで実現できる。以下の説明では、時計ＨはＧＰＳ受信器から時刻情報を抽出するＧＰＳ時計を用いるものとする。
【００３３】
図３において、端末局Ｔは、キャリア検出部１１、アンテナ１２、ＲＦ処理部１３、通信制御部１４、ＭＡＣ処理部１５、通信管理テーブル１６、端末インタフェース１７、および時計Ｈから構成される。この時計Ｈもまた、ＧＰＳ受信器から時刻情報を抽出するＧＰＳ時計であるので、無線基地局ＢＳの時計Ｈと同期して動作している。
【００３４】
端末局Ｔは、端末インタフェース１７を介して監視カメラＣ１、又はＣ２からの映像情報や、パーソナルコンピュータ等の情報端末からのデータをパケット信号に生成して、無線基地局ＢＳへ送信する。その無線パケット信号は、無線基地局ＢＳを介して他の端末局Ｔや、監視装置が接続される上位ネットワークＮＴへ送信される。端末局Ｔの各構成要素の動作は、送受信対象の装置が異なるが、基本的な動作は無線基地局ＢＳの対応するものと同じである。
【００３５】
以下に、端末局Ｔと無線基地局ＢＳとの間のパケット信号の送受信動作について説明をする。
【００３６】
本発明の無線ＬＡＮシステムは、ＩＥＥＥ８０２．１１方式のＣＳＭＡ／ＣＡ（Ｃａｒｒｉｅｒ  Ｓｅｎｃｅ  Ｍｕｌｔｉｐｌｅ  Ａｃｃｅｓｓ／Ｃｏｌｌｉｓｉｏｎ  Ａｖｏｉｄａｎｃｅ）と呼ばれるランダムアクセス方式を使用する。
【００３７】
この方式は、端末局Ｔの数が増加しても、端末局Ｔの構成数に関わるデータの設定が容易にできる利点があるが、その一方、複数の端末局Ｔから無線基地局ＢＳや他の端末局Ｔに送信したデータパケット信号が衝突する可能性がある。
【００３８】
本発明は、ランダムアクセス制御において、各端末局Ｔ（＃１〜＃ｎ）が送信するスケジュールパケットから予約送信時刻を通信管理テーブル６、１６に予約設定し、その後、時計Ｈを参照してデータパケット信号を送信することによりデータパケット衝突を回避するものである。
【００３９】
ランダムアクセス制御では、端末局Ｔ（例えば、＃１とする。）は、自局のキャリア検出部１１が無線基地局ＢＳ、および他の端末局Ｔからのキャリアを検出していない時に、無線基地局ＢＳへデータパケット信号の送信を行う。
【００４０】
まず、映像情報を、一般のファイルデータと同様にデータパケット信号として送信する方法について説明し、続いて、その方法に追加する本発明の内容を説明する。
【００４１】
端末局Ｔ（＃１）の通信制御部１４は、ＭＡＣ処理部１５に内蔵されたバッファメモリ（図示せず）に監視カメラＣ１から端末インタフェース１７を介して受信した映像情報を格納し、この映像情報のデータパケット信号を生成する。そして、キャリアを受信していないタイミングにＭＡＣ処理部１５からＲＦ処理部１３へデータパケット信号を転送し、このＲＦ処理部１３、アンテナ１２を介して無線基地局ＢＳにデータパケット信号を無線送信する。
【００４２】
そして、通信制御部１４は、無線基地局ＢＳからデータパケット信号に対する応答信号を受信するまでの間、送信したデータパケット信号をＭＡＣ処理部１５のバッファメモリに保存する。無線基地局ＢＳから応答信号であるパケット信号を受信すると、ＭＡＣ処理部１５が、そのパケット信号のＭＡＣフレームから応答を示す「ＡＣＫ」記号を抽出する。その結果、通信制御部１４は、その「ＡＣＫ」を判読してデータパケット信号の送信が正常に行われたと判断する。もし、所定の時間内に「ＡＣＫ」応答を受信しないと再び、通信制御部１４は、上記バッファメモリに保存されていたデータパケットを無線基地局ＢＳに再送信する制御を行い、パケット衝突によるパケット脱落を防いでいる。
【００４３】
一方、無線基地局ＢＳの通信制御部４は、端末局Ｔ（＃１）からアンテナ２、ＲＦ処理部３を介して受信したパケット信号をＭＡＣ処理部５のバッファメモリに格納し、その応答信号として「ＡＣＫ」記号を示したパケット信号を生成して端末局Ｔ（＃１）に送信する。そして、通信制御部４は、格納した無線パケット信号から所定の構造のデータフレームのパケットを生成して、ネットワークインタフェース７、ネットワークＮＴを介してテレビモニタＭ１に出力する。
【００４４】
以上は、ランダムアクセス制御が行うＴＣＰ／ＩＰ手順の動作概要で、映像情報の様なストリームデータを無線ＬＡＮで伝送するときは、伝送効率を上げるために前述の応答信号の「ＡＣＫ」応答が省略されたＵＤＰ手順、が多く用いられる。
【００４５】
本発明は、予め衝突によるパケット脱落を防ぐための送信タイミングを制御するアクセス手順を以下のようにＵＤＰ手順に追加設定して、ランダムアクセス制御方式の欠点を改良したものである。
【００４６】
（第１の実施の形態）
第１の実施の形態では、各端末局Ｔ（＃１〜＃ｎ）からのデータパケット信号を送信するタイミング制御は、無線基地局ＢＳの制御によらず、各端末局Ｔ（＃１〜＃ｎ）が自律的に送信をする方式である。この方式は、アドホックモードと呼ばれる無線基地局を介さずに、直接端末局Ｔ（たとえば、＃１）と（たとえば、＃２）との間で通信する場合と同様であって、アドホックモードにも適用される。
【００４７】
したがって、この方式では、無線基地局ＢＳも端末局Ｔと同様なアクセスを行うので、以下の説明では無線基地局ＢＳが行う送信要求についての説明を省略する。
【００４８】
端末局Ｔ（例えば、＃１）は、他の端末局Ｔ（＃２〜＃ｎ）から発せられるデータパケットの送信予約時刻をデータフレームに設定した要求信号（以下、スケジュールパケットと称する。）を監視して、空き時間となるタイミングを見つけ出し、その空き時間に自身の送信予約時刻を設定し、その設定された送信予約時刻にデータパケット信号を送信する。
【００４９】
図４は、この第１の実施の形態における各端末局Ｔ（＃１〜＃ｎ）からのパケット信号の送信タイミングを説明する図である。ここでは、その原理の説明として、端末局Ｔが２局（＃１、＃２）の場合として説明を行う。
【００５０】
図４において、スケジュールパケットＳＰ（＃１）は、端末局Ｔ（＃１）から送信されたスケジュールパケットを示し、スケジュールパケットＳＰ（＃２）は、端末局Ｔ（＃２）から送信されたスケジュールパケットを示す。また、データパケットＤＰ（＃１）は、端末局Ｔ（＃１）から送信された映像情報のようにリアルタイム性が必要なストリーム信号のデータパケット信号を示し、データパケットＤＰ（＃２）は、端末局Ｔ（＃２）から送信された映像情報のようにリアルタイム性が必要なストリーム信号のデータパケット信号を示す。
【００５１】
端末局Ｔ（＃１）は一定の周期（もしくは、あらかじめ設定されている時刻）毎に、自身が送信するデータの有無を確認し、送信すべきデータがあれば、スケジュールパケットＳＰ（＃１）を同報送信（端末局Ｔが複数有る場合）により他の端末局Ｔ（＃２）に通知する。その後、設定した送信予約時刻になると、端末局Ｔ（＃１）はデータパケットＤＰ（＃１）を送信する。端末局Ｔ（＃２）も端末局Ｔ（＃１）と同様の動作を行う。
【００５２】
図５は、第１の実施の形態における、端末局Ｔ（＃２）の動作手順を説明するフローチャートである。
【００５３】
図６は、無線ＬＡＮの上でＴＣＰ／ＩＰの通信手順により伝送されるパケット信号のフレーム構造を示す図であって、本発明もこれと同様のフレーム構造を採用している。
【００５４】
パケット信号の衝突を回避する通信制御は、図６に示されるパケット信号のＰＬＣＰヘッダに記述された伝送速度、およびＭＡＣフレーム部に記述されたアドレス情報やパケット情報の種別を判読し、データフレームに予約時刻情報を書き込み、もしくは読み出して無線ＬＡＮの通信を行う。
【００５５】
図６に示されるフレーム構成において、ＰＬＣＰプリアンブルおよびＰＬＣＰヘッダは、無線ＬＡＮ通信の同期、伝送（変調）速度等、物理的な接続条件に関する制御情報を搭載するのに用いられる。また、ＦＣＳフレームは、無線伝送されたパケットの誤り制御に用いられる。
【００５６】
ＭＡＣフレームには、パケット信号の送信先および送信元（例えば、無線基地局ＢＳ、端末局Ｔ（＃１〜＃ｎ））のＭＡＣアドレス情報、伝送中のパケットの制御情報（例えば、スケジュールパケットか、映像情報か、ファイルデータかの区別）を示すタイプ情報、および補助的に制御情報の伝送に用いるオプションデータ等が搭載される。
【００５７】
また、データフレームには、無線ＬＡＮで伝送される情報・データの本体部分が搭載される。この本体部分としては、例えば、メッセージ情報である映像情報、ファイルデータ、または、通信制御のための情報で有ればスケジュールパケットＳＰの各端末局Ｔ（＃１〜＃ｎ）の送信予約時刻がある。
【００５８】
図７は、端末局Ｔ（＃１）が送信したスケジュールパケットＳＰ（＃１）のデータフレームの構成を示し、送信端末局ＩＤ、送信予約時刻、送信パケット長、ＡＣＫ応答の各フィールドなどで構成されている。
【００５９】
また、図８は、端末局Ｔ（＃２）が送信した送信スケジュールパケットＳＰ（＃２）のデータフレームの構成を示し、スケジュールパケットＳＰ（＃１）のデータフレーム（左側の図）と自身から送信するデータフレーム（右側の図）によって構成されている。
【００６０】
以下、図４〜図８を参照し、端末局Ｔ（＃１、＃２）の動作を説明する。
【００６１】
端末局Ｔ（＃１）は、無線基地局ＢＳを介して監視カメラＣ１から得られる映像情報（ストリームデータ）をネットワークＮＴ上のテレビモニタＭ１に送信するよう動作する。端末局Ｔ（＃２）もまた、無線基地局ＢＳを介して監視カメラＣ２から得られる映像情報（ストリームデータ）をネットワークＮＴ上のテレビモニタＭ２に送信するよう動作する。
【００６２】
監視カメラＣ１から得られる映像情報の送信を開始するとき、端末局Ｔ（＃１）のキャリア検出部１１は、キャリア検出を行い、端末局Ｔ（＃２）がパケット信号を送信していない時刻ｔ１にスケジュールパケットＳＰ（＃１）をＵＤＰ手順で送信する。
【００６３】
この時、端末局Ｔ（＃２）は受信待機状態にあり、端末局Ｔ（＃１）から送信されるスケジュールパケットＳＰ（＃１）を無線基地局ＢＳ、アンテナ１２を介して受信すると（図５のステップｓ１がＹｅｓの場合）、端末局Ｔ（＃２）のＲＦ処理部１３でベースバンド信号に復調し、ＭＡＣ処理部１５がスケジュールパケットＳＰ（＃１）のデータフレームの内容を抽出する。
【００６４】
即ち、端末局Ｔ（＃１）から送信されるスケジュールパケットＳＰ（＃１）のデータフレームは、図７に示すように、送信端末局ＩＤフィールドに「＃１」が設定され、データパケットＤＰ（＃１）の送信予約時刻フィールドに「０１：００：０１：００００００」（時刻ｔ３の設定）のように、秒以下の単位が１マイクロ秒の単位で設定されている。
【００６５】
また、送信パケット長フィールドは、例えば、映像情報のストリームデータが１パケットあたり最大長１４００バイト単位で区切って送信されるとする。すると、そこには、「１４００」が設定され、ＡＣＫ応答フィールドは、ＡＣＫ応答が行われないので「Ｎｏ」が設定されている。
【００６６】
端末局Ｔ（＃２）の通信制御部１４は、スケジュールパケットＳＰ（＃１）のデータフレームによって得られたスケジュール情報を自身の通信管理テーブル１６に記憶して、端末局Ｔ（＃１）の送信タイミングを設定する（図５のステップｓ２）。
【００６７】
一方、端末局Ｔ（＃２）は、監視カメラＣ２から得られた映像情報の送信に際し、無線基地局ＢＳの通信制御部４から端末局Ｔ（＃２）へ定期的にデータパケットＤＰ（＃２）の送信要求が起動される（図５のステップｓ３がＹｅｓの場合）ことにより送信タイミングの設定動作を開始する。
【００６８】
上記送信要求を受信した端末局Ｔ（＃２）の通信制御部１４は、通信管理テーブル１６を参照することにより、端末局Ｔ（＃１）のスケジュールパケットＳＰ（＃１）から得たスケジュール情報を判読し、続いて、監視カメラＣ２から得られた映像情報のストリームデータであるデータパケットＤＰ（＃２）を頻度高く送信するための送信許可時刻を推定する。
【００６９】
即ち、端末局Ｔ（＃２）の通信制御部１４は、スケジュールパケットＳＰ（＃１）のＰＬＣＰヘッダに設定されていた端末局Ｔ（＃１）と無線基地局ＢＳとの間のデータパケット信号の伝送速度が１０Ｍｂｐｓであったとすれば、１バイト送信するのに１マイクロ秒かかると計算する。更に、通信制御部１４は、通信管理テーブル１６に記憶されている端末局Ｔ（＃１）が送信するパケット本体「１４００」バイトのデータ送信に１．４ミリ秒かかると推算する。
【００７０】
その結果、端末局Ｔ（＃２）の通信制御部１４は、自装置からデータパケットＤＰ（＃２）を送信する時刻として、端末局Ｔ（＃１）が占有する時刻１．４ミリ秒に、余裕時間を加えて設定すればよいことが分かる。余裕時間とは、データパケットの送信を制御する情報の送信にかかる時間（ここでは、１００マイクロ秒とする）である。
【００７１】
そして、この時の端末局Ｔ（＃２）の時計Ｈが「０１：００：００：９９９０００」であったとすると、通信管理テーブル１６に記憶された端末局Ｔ（＃１）の予約送信時刻「０１：００：０１：００００００」（図４の時刻ｔ３とする。）の前であると判断するが、自身のデータパケットの送信に１．５ミリ秒掛かることから、時刻ｔ３の後に送信しなければならないと判断する。
【００７２】
したがって、端末局Ｔ（＃２）の通信制御部１４は、データパケットＤＰ（＃２）を送信する時刻として、端末局Ｔ（＃１）のデータパケットＤＰ（＃１）の送信開始後、例えば、２ミリ秒経過した時刻ｔ４＝０１：００：０１：００２０００を送信予約時刻として設定する（図５のステップｓ４）。
【００７３】
そして、端末局Ｔ（＃２）のＭＡＣ処理部１５は、送信端末局ＩＤフィールドに「＃２」、送信予約時刻フィールドに「０１：００：０１：００２０００」、送信パケット長フィールドに「１４００」（バイト）、ＡＣＫ応答フィールドに「Ｎｏ」を設定したスケジュールパケットＳＰ（＃２）（図８の右側を参照）を作成する（図５のステップｓ５）。
【００７４】
そして、端末局Ｔ（＃２）は、キャリア検知部１１が端末局Ｔ（＃１）からのキャリアを受信していないことを確認して、時刻ｔ２に送信スケジュールパケットＳＰ（＃２）を無線基地局ＢＳへ送信する（図５のステップｓ６）。
【００７５】
この送信スケジュールパケットＳＰ（＃２）は、端末局Ｔ（＃１）が送信したスケジュールパケットＳＰ（＃１）にスケジュールパケットＳＰ（＃２）を続けた一連のフレーム構造（図８を参照）になっている。したがって、端末局Ｔ（＃２）からスケジュールパケットＳＰ（＃２）の送信に続いて送信要求を出す端末局Ｔ（例えば＃３）があれば、当該端末局Ｔ（＃３）は、端末局Ｔ（＃２）から送信された最新の受信したスケジュールパケットＳＰ（＃２）だけを判読して、自装置の送信予約時刻を自身の通信管理テーブル１６に記憶すればよい。
【００７６】
そして、端末局Ｔ（＃２）の通信制御部１４は時計Ｈを参照して、設定した送信予約時刻ｔ４（「０１：００：０１：００２０００」）になると（図５のステップｓ７がＹｅｓの場合）、データパケットＤＰ（＃２）を無線基地局ＢＳへ送信（図５のステップｓ８）して終了する。
【００７７】
以上の一連の動作を終了すると、端末局Ｔ（＃２）は、再び他端末局Ｔ（＃１）のスケジュールパケットＳＰ（＃１）を受信する待機状態に戻る。そして、端末局Ｔ（＃１、＃２）は、更に次の映像情報を送信するために、以上の手順を同様にくり返し、次のスケジュールパケットＳＰ（＃１）、（＃２）を図５の時刻ｔ５，ｔ６に送信する。
【００７８】
上記説明は、端末局Ｔから無線基地局ＢＳに送信する場合を説明したが、無線基地局ＢＳから端末局Ｔへ送信する場合も、端末局Ｔの送信制御と同様の動作によって送信される。
【００７９】
なお、映像情報（ストリームデータ）を送信する場合には、あらかじめ、データパケットＤＰを送信する一定周期の時刻を上記送信予約時刻に設定しても良い。そして、データパケットＤＰを毎回送信する毎にスケジュールパケットＳＰを送信して、送信予約時刻の設定を省略しても良く、もしくは、スケジュールパケットＳＰの送信回数を削減するようにしてもよい。
【００８０】
また、以上の説明では、送信されるデータパケットＤＰ（＃１、＃２）が２つとも映像情報であったが、例えば、端末局Ｔ（＃２）がパーソナルコンピュータからの１０Ｋバイトのファイルデータを送信するような場合も、同様に１０Ｋバイトのファイルがいくつかに分解されて送信される。
【００８１】
その場合、端末局Ｔ（＃２）では、最初の７回は、図５のステップｓ３がＹｅｓの場合に相当する手順がくり返され、毎回データパケットＤＰは、パケットあたりの最大伝送バイト数である１４００（１．４Ｋ）バイトで送信され、８回目になると残りの２００バイトが送信されてファイルデータの送信が終了する。そして、端末局Ｔ（＃２）は、パーソナルコンピュータから新たなデータの送信要求が有るまで、スケジュールパケットのモニタ処理、即ち、図５のステップｓ１、ｓ２の手順を繰り返している。
【００８２】
また、上記端末局Ｔ（＃１、＃２）と同様に、無線基地局ＢＳが端末局Ｔ（＃１〜＃ｎ）に対してデータパケットＤＰを送信する場合も、無線基地局ＢＳは、上記端末局Ｔ（＃１）、もしくは（＃２）と同様の手順を実施し、データパケットＤＰを送信すればよい。
【００８３】
（第２の実施の形態）
第２の実施の形態では、無線基地局ＢＳが各端末局Ｔ（＃１〜＃ｎ）の送信時間を集中制御する方式である。
【００８４】
図９は、第２の実施の形態における各端末局Ｔ（＃１）、（＃２）からのパケット信号の送信タイミングを説明する図である。
【００８５】
図９において、スケジュールパケット信号ＳＰ（＃１）、（＃２）およびデータパケットＤＰ（＃１）、（＃２）は、図４と同じである。マスタースケジュールパケットＭＰは、無線基地局ＢＳが各端末局Ｔ（＃１）、（＃２）へ送信する送信時刻を設定した同報信号である。
【００８６】
各端末局Ｔ（＃１）、（＃２）は、一定の周期毎に自身が送信するデータの有無を確認し、送信すべきデータがあれば、スケジュールパケットＳＰを無線基地局ＢＳに送信して送信時刻を予約する。無線基地局ＢＳは、端末局Ｔ（＃１）、（＃２）が送信したスケジュールパケットＳＰ（＃１）、（＃２）を監視し、空き時間を管理して端末局Ｔ（＃１）、（＃２）の送信時刻を設定する。そして無線基地局ＢＳは、マスタースケジュールパケットＭＰによる同報送信を端末局Ｔ（＃１）、（＃２）に行って、送信予約時間を通知する。端末局Ｔ（＃１）、（＃２）は、それぞれ時計Ｈを参照してそのマスタースケジュールパケットＭＰによって設定された送信予約時刻にそれぞれデータパケットＤＰ（＃１）、（＃２）を送信する。
【００８７】
図１０（ａ）（ｂ）は、端末局Ｔ（＃１）、（＃２）が無線基地局ＢＳに送信するスケジュールパケットＳＰ（＃１）、（＃２）のフレーム構成を示し、図１０（ｃ）は、無線基地局ＢＳから端末局Ｔ（＃１）、（＃２）に送信するマスタースケジュールパケットＭＰのフレーム構成を示す図である。
【００８８】
図１１は、第２の実施の形態における、無線基地局ＢＳの動作を説明するフローチャートである。
【００８９】
以下、図９〜図１１を参照し、第２の実施の形態における無線基地局ＢＳの動作を説明する。
【００９０】
端末局Ｔ（＃１）、（＃２）は、監視カメラＣ１、Ｃ２からの映像情報（ストリームデータ）のデータパケットＤＰ（＃１）、（＃２）をそれぞれ送信している。そして、端末局Ｔ（＃１）は、端末局Ｔ（＃２）および無線基地局ＢＳが送信中でない時にスケジュールパケットＳＰ（＃１）を送信する。
【００９１】
この時、無線基地局ＢＳは受信待機状態にあり、端末局Ｔ（＃１）から図１０（ａ）で示されるスケジュールパケットＳＰ（＃１）をアンテナ２を介して受信すると（図１１のステップｓ２１）、ＲＦ処理部３でベースバンド信号に復調する。
【００９２】
次に、無線基地局ＢＳのＭＡＣ処理部５が、そのベースバンド信号のデータフレームからスケジュールパケットＳＰ（＃１）のスケジュール情報を判読して、通信制御部４に通知する。通信制御部４は、そのスケジュール情報を通信管理テーブル６に記憶する（図５のステップｓ２２）。
【００９３】
そして、無線基地局ＢＳの通信制御部４は、引き続き次のスケジュールパケットＳＰ（＃２）の受信に入り、所定の時間までに端末局Ｔ（＃２）からのスケジュールパケットＳＰ（＃２）を受信すれば、端末局Ｔ（＃２）のスケジュール情報を通信管理テーブル６に記憶する。
【００９４】
そして、所定の時間内に他の端末局ＴからのスケジュールパケットＳＰを受信せず、受信待機時間が終了すると（図５のステップｓ２３がＹｅｓの場合）、通信制御部４は、通信管理テーブル６を参照し、送信予約情報の有無を確認する（図５のステップｓ２４）。
【００９５】
即ち、通信管理テーブル６には端末局Ｔ（＃１、＃２）からの送信予約時刻が記憶されているので（図５のステップｓ２４がＹｅｓ）、それぞれに対してのパケット送信予約時刻を調整する（図５のステップｓ２５）。
【００９６】
図１０（ａ）において、端末局Ｔ（＃１）のスケジュールパケットＳＰ（＃１）は、送信端末局ＩＤフィールドに「＃１」、送信予約時刻フィールドに「０１：００：０１：００００００」（時刻ｔ１３とする）が設定されている。また、送信パケット長フィールドに「１４００」（バイト）、ＡＣＫ応答フィールドに「Ｎｏ」が設定されている。
【００９７】
図１０（ｂ）において、端末局Ｔ（＃２）のスケジュールパケットＳＰ（＃２）は、送信端末局ＩＤフィールドに「＃２」、送信予約時刻フィールドに「０１：００：０１：００１０００」（時刻ｔ１４とする）が設定されている。また、送信パケット長フィールドに「１４００」（バイト）、ＡＣＫ応答フィールドに「Ｎｏ」が設定されている。
【００９８】
無線基地局ＢＳの通信制御部４は、端末局Ｔ（＃１）、（＃２）ともＡＣＫ応答フィールドに「Ｎｏ」が設定されているので、送信データが映像情報（ストリームデータ）である判断する。そして、映像情報は頻度を高くして受信したいことから、端末局Ｔ（＃２）からの映像情報が、端末局Ｔ（＃１）からの映像情報に続き、時間間隔短くして送信できるよう送信許可時刻を推定する。
【００９９】
ここで、無線基地局ＢＳの通信制御部４は、スケジュールパケットＳＰ（＃１）のＰＬＣＰヘッダに設定されていた端末局Ｔ（＃１）と無線基地局ＢＳとの間のデータパケット信号の伝送速度が１０Ｍｂｐｓであったとすれば、１バイト送信するのに１マイクロ秒かかると計算する。更に、通信制御部４は、通信管理テーブル６に記憶されている端末局Ｔ（＃１）が送信するパケット本体「１４００」バイトのデータ送信に１．４ミリ秒かかることを推算する。
【０１００】
したがって、無線基地局ＢＳの通信制御部４は、端末局Ｔ（＃１）のデータパケットの送信時間として上記１．４ミリ秒にデータパケット信号の送信を制御する情報の送信にかかる余裕時間（ここでは、１００マイクロ秒とする）を加えた時間を算出したうえで、端末局Ｔ（＃２）からの送信開始時刻を設定する。その結果、端末局Ｔ（＃１）がデータパケットＤＰ（＃１）の送信開始後、２ミリ秒経った時刻を端末局Ｔ（＃２）の送信予約時刻（「０１：００：０１：００２０００」）として決定する。
【０１０１】
ところが、端末局Ｔ（＃２）のスケジュールパケットＳＰ（＃２）の送信予約時刻フィールドには「０１：００：０１：００１０００」と設定されており、端末局Ｔ（＃２）が要求する送信予約時刻のままでは、端末局Ｔ（＃１）と（＃２）から送信されるデータパケットＤＰ（＃１）、（＃２）が衝突してしまう。
【０１０２】
そこで、無線基地局ＢＳの通信制御部４は、端末局Ｔ（＃２）のスケジュールパケットＳＰ（＃２）の送信予約時刻フィールドに上記時刻「０１：００：０１：００２０００」（時刻Ｔ１４とする）と設定して、送信予約時刻を変更する。スケジュールパケットＳＰ（＃２）の他のフィールドの内容は変更することなくスケジュール情報が設定される。
【０１０３】
図１０（ｃ）は、上記の変更を基に、無線基地局ＢＳが設定したマスタースケジュールパケットＭＰのデータフレームである。このマスタースケジュールパケットＭＰは、端末局Ｔ（＃１）が送信したスケジュールパケットＳＰ１（＃１）に端末局Ｔ２（＃２）の変更したスケジュール情報を続けた一連のフレーム構造に作成されたものである（図１１のステップｓ２６）。
【０１０４】
そして、無線基地局ＢＳは、キャリア検出部１が他の端末局Ｔ（例えば、＃３〜＃ｎ）からのキャリアを受信していないことを確認して、アンテナ２を介してマスタースケジュールパケットＭＰを端末局Ｔ（＃１）、（＃２）へ送信する（図１１のステップｓ２７）。
【０１０５】
そして、無線基地局ＢＳの通信制御部４は、スケジュール受信タイマを起動し（図１１のステップｓ２８）、端末局Ｔ（＃１）、（＃２）からのスケジュールパケットＳＰの受信待機状態に入る。
【０１０６】
以降、端末局Ｔ（＃１）、（＃２）は、同様にそれぞれ時計Ｈを参照して時刻ｔ１１−１、時刻ｔ１２−１でスケジュールパケットＳＰ（＃１−１）、（＃２−１）を無線基地局ＢＳへ送信し、また、データパケットＤＰ（＃１）、（＃２）の送信時刻を設定することをくり返す。そして無線基地局ＢＳも同様にマスタースケジュールパケットＭＰを送信する。
【０１０７】
したがって、端末局Ｔ（＃１）、（＃２）は、このマスタースケジュールパケットＭＰに従ってそれぞれデータパケットＤＰ（＃１）、（＃２）を送信することにより、データパケットＤＰ（＃１）、（＃２）が衝突することなしに無線ＬＡＮ送信を行うことができる。
【０１０８】
なお、映像情報を送信する場合には、あらかじめ、データパケットＤＰを送信する一定周期の時刻を上記マスタースケジュールパケットＭＰに送信予約時刻に設定するようにしても良い。そして、データパケットＤＰを毎回送信する毎にマスタースケジュールパケットＭＰを送信して送信予約時刻の設定を省略しても良く、もしくは、マスタースケジュールパケットＭＰの送信回数を削減するようにしてもよい。
【０１０９】
また、第１の実施の形態同様、送信時刻予約を行って送信するデータはファイルデータでもあってもよい。
【０１１０】
また、無線基地局ＢＳが端末局Ｔ（＃１〜＃ｎ）に対してデータパケットを送信する場合も同様に、無線基地局ＢＳは、上記端末局Ｔ（＃１）、（＃２）の送信予約時刻に、自身の送信予約時刻を通信管理テーブル６に設定して、マスタースケジュールパケットＭＰを端末局Ｔ（＃１）、（＃２）に送信する、そして、無線基地局ＢＳは、自身の送信予約時刻にそのデータパケットＤＰを送信すればよい。
【０１１１】
更にまた、第１および第２の実施の形態において、スケジュールパケットＳＰにＡＣＫ応答を「Ｙｅｓ」と設定することにより、通常のＴＣＰ／ＩＰ手順で送受信するランダムアクセス方式でもデータパケットが送信できるように設定してもよい。
【０１１２】
【発明の効果】
以上述べたように、本発明によれば、無線基地局または端末局は、無線パケット信号の送信時刻を予約し、高精度な時計を参照してパケット信号を送信するので、無線基地局または端末局から送信されるパケット信号が衝突するのを防ぎ、映像情報のような高速リアルタイムデータを伝送することができる。
【図面の簡単な説明】
【図１】本発明による無線ＬＡＮシステムの構成を示したブロック図。
【図２】本発明の無線基地局の構成要素を示すブロック図。
【図３】本発明の端末局の構成要素を示すブロック図。
【図４】本発明の第１の実施の形態におけるパケットの送信タイミング図。
【図５】本発明の第１の実施の形態の端末局における動作を示すフローチャート。
【図６】端末局が送信するパケット信号のフレーム構成を示す図。
【図７】本発明の第１の実施の形態における端末局が送信するスケジュールパケットのデータフレーム構成を示す図。
【図８】本発明の第１の実施の形態における端末局が送信するスケジュールパケットのデータフレーム構成を示す図。
【図９】本発明の第２の実施の形態におけるパケットの送信タイミング図。
【図１０】本発明の第２の実施の形態における端末局が送信するスケジュールパケットのデータフレーム構成を示す図。
【図１１】本発明の無線基地局における動作を示すフローチャート。
【符号の説明】
１、１１  キャリア検出部
２、１２  アンテナ
３、１３  ＲＦ処理部
４、１４  通信制御部
５、１５  ＭＡＣ処理部
６、１６  通信管理テーブル
７  ネットワークインタフェース
１７  端末インタフェース
ＢＳ  無線基地局
Ｔ  端末局
Ｃ１、Ｃ２  監視カメラ
Ｍ１、Ｍ２  テレビモニタ
Ｈ  時計
ＮＴ  ネットワーク
【図１】
2004343407.tif 000003
【図２】
2004343407.tif 000004
【図３】
2004343407.tif 000005
【図４】
2004343407.tif 000006
【図５】
2004343407.tif 000007
【図６】
2004343407.tif 000008
【図７】
2004343407.tif 000009
【図８】
2004343407.tif 000010
【図９】
2004343407.tif 000011
【図１０】
2004343407.tif 000012
【図１１】
2004343407.tif 000013